(57)【特許請求の範囲】
【請求項１】
土台あるいは柱などの主体構造体に取り付けられて外壁の下端に沿って配設される水切り材であって、
前記主体構造体に固定される取付具と、該取付具に支持される水切り材本体とを有し、
該水切り材本体には、裏面側から突出して下方へ屈曲するフック部が形成され、
前記取付具には、前記フック部を差し込み可能な凹状の保持部と前記水切り材本体の下方部分における前記取付具側への変形を規制する変形規制部が形成され、該変形規制部は、前記保持部の下方に延出された部分と、その下端から水平に主体構造体側に延出される下平板部を備え、
前記フック部が前記保持部に差し込まれることにより、前記水切り材本体が前記取付具に保持されることを特徴とする水切り材。
【請求項２】
前記取付具は、前記水切り材本体の裏面側と外部とを連通させる通気口を備えることを特徴とする請求項１記載の水切り材。
【請求項３】
前記フック部が、予め内面に接着剤を塗布した前記保持部に差し込まれることを特徴とする請求項１または２記載の水切り材。
【発明の詳細な説明】
【０００１】
【発明の属する技術分野】
本発明は、住宅等の外壁の下端に配置されて水切りを行う水切り材に関する。
【０００２】
【従来の技術】
従来より、住宅等の建築物には、外壁の下端に沿って水切り材が設置されている。この水切り材は、壁面にかかる雨水が基礎面を伝って落ち、土台に侵入するのを防ぐために設けられるもので、主にアルミ板、鋼板などにより形成されている。
【０００３】
また、近年では、表面に装飾を施し、化粧材を兼ねさせる化粧水切り材が使用されつつある。化粧水切り材の材料には、装飾表現のために硬質プラスチックや発泡プラスチック、ガラス強化セメントなどが用いられている。
【０００４】
【発明が解決しようとする課題】
ところで、従来水切り材は、外壁によって隠される上部を土台や柱などの主体構造体に固定しているが、上述したような装飾を施した化粧水切り材は比較的重量が重く、上部を固定するだけでは落下や破損のおそれがあるので、さらに水切り材下部も固定することが望ましい。このため、例えば主体構造体にビス止めしていたが、このように水切り材表面から主体構造体にビス止めすると、ビス頭が表面に露出して美観を損ねてしまうばかりか、ビス頭が錆び、水切り材の表面が汚れてさらなる美観の低下を招いてしまう。また、水切り材を支えながらビス止めする作業は多大な労力を要するという問題もあった。
【０００５】
上記の問題点に鑑み、本発明は、美観を損ねるビスなどの固定箇所を表面に露出させずに、確実かつ容易に固定して落下や破損を防止でき、装飾にも適する水切り材を提供することを目的とする。
【０００６】
【課題を解決するための手段】
以上の課題を解決するために、請求項１にかかる発明は、土台あるいは柱などの主体構造体に取り付けられて外壁の下端に沿って配設される水切り材であって、主体構造体に固定される取付具と、この取付具に支持される水切り材本体とを有し、この水切り材本体には、裏面側から突出して下方へ屈曲するフック部が形成され、取付具には、フック部を差し込み可能な凹状の保持部と水切り材本体の下方部分における取付具側への変形を規制する変形規制部が形成され、この変形規制部は、保持部の下方に延出された部分と、その下端から水平に主体構造体側に延出される下平板部を備え、フック部が保持部に差し込まれることにより、水切り材本体が取付具に保持されることを特徴とする。この発明にかかる水切り材は、水切り材本体の裏面側で取付具によって水切り材本体を保持するので、水切り材本体の破損を防ぎ、外観を損ねないで容易かつ確実に固定することを可能にし、施工の容易化が実現される。また、この水切り材は、水切り材本体の下方部分が建物側に押されて変形、破壊されることを、取付具に形成した変形規制部によって防止することができる。
【０００７】
請求項２にかかる発明は、請求項１の水切り材において、取付具に、前記水切り材本体の裏面側と外部とを連通させる通気口を備えることを特徴とする。この水切り材は、土台等への通気性を確保できるので、土台通気工法に対応可能である。
【０００８】
請求項３にかかる発明は、請求項１または２の水切り材において、前記フック部が、予め内面に接着剤を塗布した前記保持部に差し込まれることを特徴とする。
【０００９】
本発明において、水切り材本体は合成樹脂によって一体成形されていることが好ましい。この水切り材では合成樹脂製であるので表面に装飾を施しやすい。
【００１０】
本発明において、水切り材本体は繊維強化セメントによって一体成形されていることが好ましい。この水切り材では繊維強化セメント製の材質を生かした装飾を施すことができ、しかも高強度化を図ることができる。
【００１１】
【発明の実施の形態】
本発明の水切り材の実施形態を図を参照して以下に説明する。なお、以下における内側及び外側は、建物における内側及び外側であり、図においては右側及び左側である。
【００１２】
図１に、本実施形態による水切り材Ａの周囲側断面図を示す。土台４２は基礎上面４１ａに設置されている。柱４３は土台上面４２ｂに立設され、その鉛直な外面（柱外面）４３ａが土台４２の鉛直な外面（土台外面）４２ａに一致した状態とされている。建物の主体構造体４０は、以上の土台４２、柱４３を備えている。
【００１３】
水切り材Ａは住宅等の外壁５０の下端に沿って配置されて水切りを行うものである。本実施形態の水切り材Ａは、水切り材本体１０と取付具２０とから構成されており、水切り材本体１０は、第１平板部１１と、この第１平板部１１の下端から外側（図１における左側）の斜め下方向に向け延出される傾斜平板部１２と、この傾斜平板部１２の外端から鉛直下方に延出される第２平板部１３と、第２平板部１３の裏面（内側）の途中位置から突出して下方に屈曲するフック部１４を有している。なお、フック部１４の下端は第２平板部１３の下端よりも上方に位置するように形成されている。この水切り材本体１０は発.泡プラスチックなどの合成樹脂やガラス強化セメントなどの繊維強化セメント等によって形成され、表面に木目等の装飾が施されている。以上の断面形状を有する押し出し材である水切り材本体１０は、図１における紙面に垂直な方向を長さとして、所望の長さに切断されて用いられる。
【００１４】
取付具２０は、上方に開放した凹状の溝部（保持部）２４を有している。溝部２４の溝幅は、図２に示すように、上部ではこの溝部２４を形成する外側の壁面である溝壁面２４ａが外側に傾斜して形成されて広くなっていて、中間部では水切り材本体１０のフック部１４の厚さよりもやや狭められ、下部（溝底面２４ｂ）ではフック部１４を収めることができる幅となっている。
【００１５】
溝壁面２４ａは溝底面２４ｂよりもさらに下方に延出され、その下端から水平内側に延出される下平板部２１と、溝底面２４ｂより下方の溝壁面２４ａ下部とによって、変形規制部２５が形成されている。下平板部２１は、その途中位置から下方へ突出する突起部２１ａと、この突起部２１ａの外側（図の左側）に、紙面に垂直な方向に所定の間隔を空けて複数箇所設けられた通気口２１ｂを有し、土台４２より外側の基礎上面４１ａ上に水平状態で載置される。通気口２１ｂは、通気を行うこととネズミの侵入を防止することを考慮した適当な大きさの開口とされている。
【００１６】
また、溝部２４の内側には、下平板部２１に略平行な上平板部２２が形成され、この上平板部２２の内側の端部には鉛直上方に延出される鉛直平板部２３が形成されている。なお、溝壁面２４ａの上端から下端に至る長さは、水切り材本体１０のフック部１４から第２平板部１３の下端までの長さよりも小さく形成されている。以上の断面形状を有する押し出し材である取付具２０は、図における紙面に垂直な方向を長さとして、所望の長さに切断されて用いられる。
【００１７】
ここで、以上に述べた水切り材本体１０と取付具２０を主体構造体４０に対し施工する手順について説明する。まず取付具２０を主体構造体４０に対し固定する。すなわち、下平板部２１を基礎上面４１ａに載置し、鉛直平板部２３が土台４２の土台外面４２ａに接するようにして、下平板部２１をビス３０によって土台４２に固定する。次に、主体構造体４０に取り付けた取付具２０に、水切り材本体１０を取り付ける。すなわち、予め溝部２４の内面に接着剤６１を塗布しておき、水切り材本体１０のフック部１４を溝部２４に差し込む。溝部２４は、上方が開いているのでフック部１４を差し込みやすく、中間部が狭められているので取付具２０の弾性によってフック部１４を挟み込んで固定でき、これによって水切り材本体１０の下部が保持される。さらに、取付具２０に下部を保持された水切り材本体１０の上部を柱４３に固定する。すなわち、水切り材本体１０の第１平板部１１が柱外面４３ａに接するようにして、第１平板部１１を柱４３にビス３１で固定する。なお基礎外面４１ｂには、突起部２１ａに至る厚さで化粧モルタル６０が形成される。さらに、以上のように水切り材本体１０と取付具２０を主体構造体４０に対し施工した後、外壁５０が施工される。
【００１８】
以上に述べた実施形態の水切り材Ａによれば、水切り材本体１０の内側に配置された取付具２０を土台４２にビス３０で固定し、この取付具２０によって水切り材本体１０を保持している。つまり、水切り材本体１０の表面にビス３０の頭を露出させずに水切り材本体１０の下部を支持できるとともに、取付具２０の変形規制部２５によって水切り材本体１０の下部の変形を規制できるので、ビスの錆によって水切り材本体１０の表面を汚すこともなく、落下や破損を防止できる。また、取付具２０は、その溝壁面２４ａの上下方向の長さが、水切り材本体１０のフック部１４から第２平板部１３の下端までの長さよりも小さく形成されているため、取付具２０が水切り材本体１０の裏面側に収納される位置関係となり、外側からは取付具２０が見えない。さらに、外壁５０が水切り材本体１０の傾斜平板部１２の上方から鉛直上方に形成されるので、第１平板部１１と第１平板部１１を固定しているビス３１はこの外壁５０によって隠され、外側から見えない。従って、水切り材本体１０の美観を損ねずに落下や破損を防ぐことができる。
【００１９】
図３に本発明の別の実施形態を示す。この実施形態では、基礎４１上（土台４２下）に土台パッキン４４が設置されている。土台パッキン４４は土台通気工法に用いられるもので、例えば樹脂によって形成され、建物に沿って不連続に設けられて建物内外を連通させている。この土台パッキン４４によって取付具２０の通気口２１ｂの開口を介して床下内と屋外の通気を行うことができる。
【００２０】
なお、以上の実施形態では表面に装飾を施した発泡プラスチックなどによる水切り材本体１０を固定する構造としたが、その他の材料による水切り材や、装飾のない水切り材にも適用できることはもちろんである。
【００２１】
【発明の効果】
以上説明したように、請求項１にかかる水切り材では、水切り材本体の裏面に形成したフック部を、取付具に形成した凹状の保持部に差し込むことによって水切り材本体を固定するので、水切り材本体の破損を防ぐとともに、ビス頭の露出や露出したビス頭の錆びなどによる汚れがなく、美観を損ねずに固定された水切り材を得ることができる。また、重い水切り材であっても容易かつ確実に保持させることができ、施工の容易化が実現される。
【００２２】
また、取付具に形成された変形規制部が水切り材本体の変形を規制するので、水切り材の破損を防ぐことができる。
【００２３】
請求項２にかかる水切り材では、取付具に通気口を備えることにより、土台等への通気性を確保できるので、土台通気工法に対応できる。
【図面の簡単な説明】
【図１】  本発明の水切り材の実施形態が適用された外壁、土台及び基礎の周囲構造を示す側断面図である。
【図２】  取付具の溝部（保持部）形状を示す部分拡大図である。
【図３】  本発明の水切り材の別の実施形態が適用され土台パッキンを備えた外壁、土台及び基礎の周囲構造を示す側断面図である。
【符号の説明】
Ａ  水切り材
１０  水切り材本体
１４  フック部
２０  取付具
２１ｂ  通気口
２４  溝部（保持部）
２５  変形規制部
４０  主体構造体
４１  基礎
４２  土台
４３  柱
５０  外壁
【図１】
0003761775.tif 000002
【図２】
0003761775.tif 000003
【図３】
0003761775.tif 000004